(57)【要約】　　　（修正有）【課題】プリント基板に搭載された電子機器の誤動作を防止する印刷回路を提供する。【解決手段】伝送線路１３ｐｓと伝送線路１３ｐ１とのなす角度θが鋭角の場合、分岐点Ｄの近傍に、伝送路を切り込んでノッチＮを形成する。このノッチＮの端面で伝送信号が反射され、点Ｐ１へ反射する信号の強度が点Ｐ２へ反射する信号の強度とほぼ等しくなる。従って、信号強度の低下が防止されて電子機器の誤動作が防止される。【選択図】　図２
2004103717.tif 000002
【特許請求の範囲】
【請求項１】
信号が供給される上流側伝送線路が分岐点で、前記上流側伝送線路とのなす角度が鈍角の下流側伝送線路と鋭角の下流側伝送線路とに分岐するように伝送線路が印刷された印刷回路において、
前記上流側伝送線路とのなす角度が鈍角の下流側伝送線路と鋭角の下流側伝送線路との分岐点近傍の伝送線路を切り込んで切り込み部が形成されている、
ことを特徴とする印刷回路。
【請求項２】
前記切り込み部は、前記伝送線路を、楔形と丸形と矩形とのいずれか１つの形状に切り込むことにより形成されたものである、
ことを特徴とする請求項１に記載の印刷回路。
【請求項３】
前記切り込み部は、前記上流側伝送線路とのなす角度が鈍角の下流側伝送線路と鋭角の下流側伝送線路とに分配される信号の強度が等しくなるように、前記分岐点近傍の下流側伝送線路を切り込んで形成されたものである、
ことを特徴とする請求項１又は２に記載の印刷回路。
【請求項４】
前記切り込み部は、前記上流側伝送線路によって伝送される信号を、前記上流側伝送線路とのなす角度が鋭角の下流側伝送線路の方向に反射する端面を有するように形成されたものである、
ことを特徴とする請求項１乃至３のいずれか１項に記載の印刷回路。
【請求項５】
３以上の伝送線路が交差するように形成された印刷回路において、
前記交差する伝送線路の少なくとも１つは、交差部近傍において任意の形状の少なくとも１つの切欠部を備える、
ことを特徴とする印刷回路。
【発明の詳細な説明】
【０００１】
【発明の属する技術分野】
本発明は、印刷回路に関する。
【０００２】
【従来の技術】
電子回路機器には、印刷回路が形成されたプリント基板が多く用いられる。プリント基板には、複数の電子部品が実装される。そして、プリント基板には、実装されている電子部品間での信号の送受を行うための伝送線路が形成される。
【０００３】
プリント基板に形成された伝送線路には、一般に、信号を振り分けるための分岐路が設けられる。最も、基本的は分岐路は、図９に示すように、「Ｔ」の字型の形状を有する分岐路である。図９において、伝送信号が点ＰＳから点Ｐ１，Ｐ２へ伝送されるものとして、伝送信号が伝搬する伝送線路５１ｐｓは、分岐点ｄで伝送線路５１ｐ１と伝送線路５１ｐ２とに分岐する。この伝送線路５１ｐｓの中心線と伝送線路５１ｐ１，５１ｐ２の中心線とのなす角度θ１は、９０°である。
【０００４】
「Ｔ」の字型分岐路を形成するのが困難である場合には、図１０に示すような「イ」の字型の分岐路も用いられる。この「イ」の字型の分岐路を有するプリント基板では、伝送線路５１ｐｓの中心線と伝送線路５１ｐ１の中心線とのなす角度θ１は、鋭角（９０°未満）となる。
【０００５】
【発明が解決しようとする課題】
しかし、このような「イ」の字型の分岐路を有するプリント基板では、信号分配特性が低下する。特に、電子機器の高周波化、広帯域化に伴い、機器内部の伝送線路における電磁波信号の影響を無視できなくなる。
【０００６】
図９に示す「Ｔ」の字型の分岐路を有するプリント基板において、「Ｔ」の字型の分岐路で分配された信号の周波数特性を図１１に示す。尚、縦軸「Ｒｅｌａｔｉｖｅｐｏｗｅｒ」は、図９の点ＰＳから供給された信号の強度を「１」とした場合の点Ｐ１、Ｐ２にそれぞれ伝搬する信号の強度の割合を示す。また、Ｓｐ１，Ｓｐ２は、それぞれ、点Ｐ１，Ｐ２に伝搬する信号の強度を示し、Ｓｐｓは、点ＰＳまで反射した信号の強度を示す。後述する周波数特性を示す図についても同様である。
この図１１に示すように、周波数０．１〜１０ＧＨｚの帯域で、伝送線路Ｐ１，Ｐ２にそれぞれ伝送される信号Ｓｐ１，Ｓｐ２の強度は等しくなる。
【０００７】
次に、図１０に示す「イ」の字型の分岐路を有するプリント基板において、「イ」の字型の分岐路で分配される信号の周波数特性を図１２に示す。図１２に示すように、周波数が高くなるに従って、伝送線路Ｐ１、Ｐ２にそれぞれ伝送される信号の信号強度Ｓｐ１，Ｓｐ２は、互いに異なってくる。特に、点Ｐ１側へ伝送される信号は伝搬されにくくなり、その分、点ＰＳまで反射する信号の強度Ｓｐｓが高くなる。
【０００８】
次に、伝送線路Ｐ１、Ｐ２にそれぞれ伝送される信号Ｓｐ１，Ｓｐ２の信号強度と角度θ１との関係を図１３に示す。この図１３に示すように、角度θが９０°の場合、点Ｐ２へ伝搬する信号の強度Ｓｐ２と、点Ｐ１へ伝搬する信号の強度Ｓｐ１とは、等しくなる。しかし、角度θ１が小さくに従って、両信号強度Ｓｐ１，Ｓｐ２に差が生じる。特に、角度θ１が４５°の場合、分岐路における信号分配特性は低下する。
【０００９】
このような現象は、電子機器の高速化、高周波化の障害となり、電子機器に供給される信号の信号強度が十分に得られないと、電子機器の誤動作を誘発するおそれもある。
【００１０】
本発明は、このような従来の問題点に鑑みてなされたもので、電子機器の誤動作を防止することを可能とする印刷回路を提供することを目的とする。
【００１１】
【課題を解決するための手段】
この目的を達成するため、本発明の第１の観点に係る印刷回路は、
信号が供給される上流側伝送線路が分岐点で、前記上流側伝送線路とのなす角度が鈍角の下流側伝送線路と鋭角の下流側伝送線路とに分岐するように伝送線路が印刷された印刷回路において、
前記上流側伝送線路とのなす角度が鈍角の下流側伝送線路と鋭角の下流側伝送線路との分岐点近傍の伝送線路を切り込んで切り込み部が形成されているものである。
【００１２】
このような構成によれば、上流側伝送線路とのなす角度が鈍角の下流側伝送線路と鋭角の下流側伝送線路との分岐点近傍に切り込み部が形成されていると、切り込み部が形成されていない場合と比較して、伝送される信号の反射方向が変化する。そして、上流側伝送線路に反射する信号の強度が小さくなれば、伝送される信号の強度は低下しなくなるので、電子機器の誤動作が防止される。
【００１３】
前記切り込み部は、前記伝送線路を、楔形と丸形と矩形とのいずれか１つの形状に切り込むことにより形成されたものであってもよい。
【００１４】
前記切り込み部は、前記上流側伝送線路とのなす角度が鈍角の下流側伝送線路と鋭角の下流側伝送線路とに分配される信号の強度が等しくなるように、前記分岐点近傍の下流側伝送線路を切り込んで形成されたものであってもよい。
【００１５】
前記切り込み部は、前記上流側伝送線路によって伝送される信号を、前記上流側伝送線路とのなす角度が鋭角の下流側伝送線路の方向に反射する端面を有するように形成されたものであってもよい。
【００１６】
３以上の伝送線路が交差するように形成された印刷回路において、
前記交差する伝送線路の少なくとも１つは、交差部近傍において任意の形状の少なくとも１つの切欠部を備えるようにしてもよい。
【００１７】
【発明の実施の形態】
以下、本発明の実施の形態に係る印刷回路が形成されたプリント基板を図面を参照して説明する。
本実施の形態に係るプリント基板の構成を図１と図２とに示す。尚、図１、図２は、それぞれ、本実施の形態に係るプリント基板の斜視図、平面図と側面図とを示す。
【００１８】
プリント基板１は、誘電体板１１と導体板１２と伝送線路１３と、を備えている。尚、プリント基板１の厚さは、０．５ｍｍ程度である。
誘電体板１１は、導体板１２と伝送線路１３とを絶縁するためのものである。誘電体板１１は、例えば、ガラスエポキシ樹脂によって形成される。導体板１２は、薄い銅板等によって形成されたものである。
【００１９】
伝送線路１３は、プリント基板には、実装されている電子部品間での信号の送受を行うために形成された線路であり、銅箔等によって形成される。伝送線路１３の線路幅Ｌ１は、０．８ｍｍ程度である。
【００２０】
伝送線路１３は、伝送線路１３ｐｓと伝送線路１３ｐ１と伝送線路１３ｐ２とを有している。伝送線路１３ｐｓは、点ＰＳから信号が供給される上流側伝送路であり、伝送線路１３ｐ１と伝送線路１３ｐ２とは、下流側伝送線路である。各伝送線路１３ｐｓ，１３ｐ１，１３ｐ２は、伝送線路１３ｐｓの中心線と伝送線路１３ｐ１，１３ｐ２との中心線との交点としての分岐点Ｄで交わる。
【００２１】
伝送線路１３ｐ１，１３ｐ２は、それぞれ、屈曲点Ｐ１１，Ｐ１２を有し、屈曲点Ｐ１１，Ｐ１２で屈曲して、点Ｐ１，Ｐ２へと延びる。
【００２２】
伝送線路１３ｐｓと伝送線路１３ｐ１と伝送線路１３ｐ２とは、伝送線路１３ｐｓと伝送線路１３ｐ１とがなす角度をθとして、伝送線路１３ｐｓと伝送線路１３ｐ１との角度θが９０°未満（鋭角）になるように交わる。
【００２３】
伝送線路１３の分岐点Ｄの近傍には、楔形のノッチＮが形成されている。このノッチＮは、同じタイミングで同じ強度の信号が振り分けられるように、伝送線路を切り込んで形成された切り込み（切欠）部である。本実施の形態では、中心線Ｌｐｓと平行の方向に０．６ｍｍ程度切り込み、中心線Ｌｐｓと直角方向に０．６ｍｍ程度切り込んでノッチＮを形成した。
【００２４】
次に本実施の形態に係るプリント基板の特性を説明する。
点ＰＳから伝送信号が伝搬するものとして、図３の破線で示すように、ノッチＮが形成されていない場合、伝送信号は分岐点Ｄ近傍における伝送線路１３ｐ１又は伝送線路１３ｐ２の端面で反射され、反射した伝送信号は点ＰＳへと戻ってしまう。伝送線路１３ｐ１に伝搬する信号の強度は強くなるものの、伝送線路１３ｐ１に伝搬される信号強度は弱くなる。従って、伝送線路１３ｐ１に伝搬する信号の強度と伝送線路１３ｐ１に伝搬される信号の強度とは、互いに異なってくる。
【００２５】
一方、同じく点ＰＳから信号が伝搬するものとして、図３の実線で示すように、ノッチＮが形成されている場合、点ＰＳから伝搬する信号は、その反射方向が変わるため、伝送線路１３ｐ１に伝搬する信号の強度と伝送線路１３ｐ１に伝搬する信号の強度とはほぼ等しくなる。尚、両信号の強度の差が所定の誤差範囲内であれば、ほぼ等しいものとする。
【００２６】
ノッチＮが形成され、角度θが４５°の場合の各伝送線路１３ｐｓ，１３ｐ１，１３ｐ２に伝搬する信号の周波数特性（信号強度対周波数との関係）を図４に示す。尚、縦軸「Ｒｅｌａｔｉｖｅ　ｐｏｗｅｒ」は、図１〜図３の点ＰＳから供給された信号の強度を「１」とした場合の点Ｐ１、Ｐ２にそれぞれ伝搬する信号の強度の割合を示す。また、Ｓｐ１，Ｓｐ２は、それぞれ、点Ｐ１，Ｐ２に伝搬する信号の強度を示し、Ｓｐｓは、点ＰＳまで反射した信号の強度を示す。
【００２７】
この図４に示すように、角度θが４５°の場合、ノッチＮが形成されれば、周波数０．１〜１０ＧＨｚの間で、点Ｐ１方向へ伝搬する信号の強度Ｓｐ１と点Ｐ２方向へ伝搬する信号の強度Ｓｐ１，Ｓｐ２とは、ほぼ等しくなる。
【００２８】
以上説明したように、本実施の形態によれば、伝送線路１３ｐｓと伝送線路１３ｐ１とがなす角度θが鋭角になった場合、各伝送線路１３ｐｓ，１３ｐ１，１３ｐ２が交わる分岐点Ｄの近傍に伝送線路を切り込んでノッチＮを形成した。従って、このノッチＮにより、点Ｐ１へと伝搬する信号の強度と点Ｐ２へと伝搬する信号の強度とはほぼ等しくなり、電子部品と電子部品との間で、同じタイミング、同じ強度の信号を振り分けることができる。
【００２９】
従って、電子機器の高速化、高周波化にあたって電子機器の誤動作を防止することができる。
また、ノッチＮを形成するだけなので、特殊な部品の装備、プリント基板１の特殊な加工を全く必要とせず、極めて容易にプリント基板１を形成することができる。
【００３０】
尚、本発明を実施するにあたっては、種々の形態が考えられ、上記実施の形態に限られるものではない。
例えば、ノッチＮの形状は、図２に示すものには限られず、図５に示すように丸形のノッチであってもよい。ノッチＮがこのような形状をしている場合の１３ｐｓ，１３ｐ１，１３ｐ２の周波数特性対信号強度との関係を図６に示す。この図６に示すように、周波数０．１〜１０ＧＨｚの間で、点Ｐ１方向へ伝搬する信号の強度と点Ｐ２方向へ伝搬する信号の強度とは、ほぼ等しくなる。
【００３１】
また、ノッチＮは、図７に示すように矩形のノッチであってもよい。ノッチＮがこのような形状を有している場合の伝送線路１３ｐｓ，１３ｐ１，１３ｐ２の周波数特性を図８に示す。この図８に示すように、周波数０．１〜１０ＧＨｚの間で、点Ｐ１方向へ伝搬する信号の強度と点Ｐ２方向へ伝搬する信号の強度とは、ほぼ等しくなる。
【００３２】
さらに、ノッチＮの形状は、これに限られるものではなく、ノッチＮは、複数の楔形で形成されてもよい。但し、ノッチＮの形状としては、図１〜図３に示すものが単純であり、特性としても最も好ましい。
【００３３】
また、本実施の形態では、ノッチＮを、伝送線路１３ｐ１，１３ｐ２に伝送される伝送信号の相対強度が等しくなるように形成した。しかし、これに限られるものではなく、伝送線路１３ｐ１，１３ｐ２に伝送される伝送信号の相対強度が所望の比率となるようにノッチＮを形成することもできる。
【００３４】
また、本実施の形態では、伝送信号の反射方向を制御するために伝送線路を切り込んでノッチＮを形成した。しかし、これに限られるものではなく、例えば、分岐点Ｄ近傍の伝送線路に凸部を形成して伝送信号の反射方向を制御することもできる。さらに、伝送線路１３ｐ１又は１３ｐ２側にノッチＮを形成するのではなく、伝送線路１３ｐｓの方に、ノッチＮを形成することもできる。
【００３５】
【発明の効果】
以上説明したように、本発明によれば、電子機器の誤動作を防止することができる。
【図面の簡単な説明】
【図１】本発明の実施の形態に係るプリント基板の構造を示す斜視図である。
【図２】本発明の実施の形態に係るプリント基板の構造を示す平面図と側面図である。
【図３】分岐点近傍を拡大した拡大平面図である。
【図４】図１と図２に示すプリント基板の各伝送線路を伝搬する信号の周波数特性を示す説明図である。
【図５】丸形ノッチを用いた応用例を示すプリント基板の平面図である。
【図６】図５に示すプリント基板の各伝送線路を伝搬する信号の周波数特性を示す説明図である。
【図７】矩形ノッチを用いた応用例を示すプリント基板の平面図である。
【図８】図７に示すプリント基板の各伝送線路を伝搬する信号の周波数特性を示す説明図である。
【図９】従来の「Ｔ」の字型の分岐路を示す平面図である。
【図１０】従来の「イ」の字型の分岐路を示す平面図である。
【図１１】従来の「Ｔ」の字型の分岐路を有するプリント基板の各伝送線路を伝搬する信号の強度と周波数との関係を示す説明図である。
【図１２】図１０に示す従来の「イ」の字型の分岐路で分配される伝送信号の周波数特性を示す説明図である。
【図１３】従来の分岐路における角度とプリント基板の各伝送線路を伝搬する信号の強度との関係を示す説明図である。
【符号の説明】
１　プリント基板
１１　誘電体板
１２　導体板
１３　伝送線路
Ｄ　分岐点
Ｎ　ノッチ
【図１】
2004103717.tif 000003
【図２】
2004103717.tif 000004
【図３】
2004103717.tif 000005
【図４】
2004103717.tif 000006
【図５】
2004103717.tif 000007
【図６】
2004103717.tif 000008
【図７】
2004103717.tif 000009
【図８】
2004103717.tif 000010
【図９】
2004103717.tif 000011
【図１０】
2004103717.tif 000012
【図１１】
2004103717.tif 000013
【図１２】
2004103717.tif 000014
【図１３】
2004103717.tif 000015